(57)【特許請求の範囲】
【請求項１】
ハウジング内に着脱されるＩＣカードに係合され、このＩＣカードの挿入及び排出方向にスライド移動可能なスライド部材と、このスライド部材を前記ＩＣカードの排出方向へ付勢する復帰ばねと、この復帰ばねの付勢力に抗して前記スライド部材を、前記ＩＣカードが挿着された位置に保持するロック部材と、待機位置と押し込み位置との間を移動可能に配設され、押圧操作によって前記ロック部材のロックを解除するプッシュロッドとを備え、前記ＩＣカードの一隅部には斜面状の切り欠き部を有し、前記スライド部材には、斜面からなる押圧面部と、この押圧面部に連接してフック部が設けられ、前記ＩＣカードの挿着時に、前記フック部に前記ＩＣカードの前記切り欠き部が当接することにより前記スライド部材が前記ＩＣカードと共にＩＣカードの挿入方向へ移動され、前記ＩＣカードを裏返し、又は逆方向で挿入した時には、前記ＩＣカードの前記切り欠き部が設けられていない隅部の前端部が前記押圧面部と当接することにより前記スライド部材が前記ハウジングの平坦部と平行な面に沿ってカードの挿入及び排出方向と交差する方向に前記カードの側面部から離れるよう回動するものとされ、前記プッシュロッドの一端側には押釦部が取り付けられており、前記プッシュロッドに係止段部を設けると共に、前記スライド部材に前記係止段部と係脱可能な係止突部を形成し、前記ＩＣカードを裏返し、又は逆方向で挿入した時、前記ＩＣカードの前記前端部により前記スライド部材が回動され、前記プッシュロッドの係止段部と前記スライド部材の係止突部が係合して一体に移動可能となり、前記ＩＣカードの挿入に伴って前記スライド部材と前記プッシュロッドが移動する時、前記押釦部の取付側の端部が前記ハウジングの一側部に当接することにより、それ以上の前記ＩＣカードの挿入方向への移動を阻止するようにしたことを特徴とするＩＣカード用コネクタ。
【発明の詳細な説明】
【０００１】
【発明の属する技術分野】
本発明は、パーソナルコンピュータなどの記憶媒体などに用いられるＰＣカードや、デジタルカメラなどの電子機器などに使用されるＣＦ（コンパクトフラッシュ）カードなどに使用される、ＩＣカード用コネクタの構造に関する
【０００２】
【従来の技術】
パーソナルコンピュータの増設記録装置としてＩＣカード用コネクタが一般的に使用されている。このＩＣカード用コネクタの記憶媒体としてはＩＣカードが広く使用さるようになってきている。
【０００３】
このＩＣカードをＩＣカード用コネクタに挿着して必要な情報の書き込み、及び読み取りを行うが、このＩＣカードには一隅部が斜めに切り欠かれているものがある。このＩＣカードを挿着する場合に、従来のＩＣカード用コネクタ側にはＩＣカードの切り欠き部に対応する位置に突出部が形成されており、これによりＩＣカードを裏返し、又は逆方向へ挿入した時に、この突出部にＩＣカードの前端部がぶつかって最後までＩＣカードが挿入できないようにして誤挿入を防止している。
【０００４】
また、この従来のＩＣカードの誤挿入防止構造の他に、最近では板ばね等をＩＣカードの挿入路の途中に突出させ、ＩＣカードを正常に挿入した時には、ＩＣカードの切り欠き部で板ばねを挿入路外へ退避させるようにしてＩＣカードを挿入するこのができるが、ＩＣカードを裏返し、又は逆方向へ挿入した時には、ＩＣカードが板ばねにぶつかって挿入できない構成のものも考えられている。
【０００５】
【発明が解決しようとする課題】
しかしながら、上述した従来のＩＣカード用コネクタのＩＣカードの誤挿入防止構造においては、突出部によって誤挿入を防止する構造では、ＩＣカードを挿着完了の直前位置まで押し込まなくては誤挿入を判断することができず、操作性が悪いことや、ＩＣカード用コネクタの接触端子の変形や損傷を招いてしまうという問題があった。
【０００６】
また、板ばね等をＩＣカードの挿入路の途中に突出させる構造においては、新たに板ばねを追加しなければならず、部品点数が増加して構造が複雑となってしまうという問題があった。
【０００７】
したがって、本発明では上述した問題点を解決し、ＩＣカードの誤挿入防止構造を備えたＩＣカード用コネクタの構造で、新たに部品点数を増加することなく、簡易な構造で、操作性や接触信頼性の向上されたＩＣカード用コネクタを提供することを目的とする。
【０００８】
【課題を解決するための手段】
ハウジング内に着脱されるＩＣカードに係合され、このＩＣカードの挿入及び排出方向にスライド移動可能なスライド部材と、このスライド部材を前記ＩＣカードの排出方向へ付勢する復帰ばねと、この復帰ばねの付勢力に抗して前記スライド部材を、前記ＩＣカードが挿着された位置に保持するロック部材と、待機位置と押し込み位置との間を移動可能に配設され、押圧操作によって前記ロック部材のロックを解除するプッシュロッドとを備え、前記ＩＣカードの一隅部には斜面状の切り欠き部を有し、前記スライド部材には、斜面からなる押圧面部と、この押圧面部に連接してフック部が設けられ、前記ＩＣカードの挿着時に、前記フック部に前記ＩＣカードの前記切り欠き部が当接することにより前記スライド部材が前記ＩＣカードと共にＩＣカードの挿入方向へ移動され、前記ＩＣカードを裏返し、又は逆方向で挿入した時には、前記ＩＣカードの前記切り欠き部が設けられていない隅部の前端部が前記押圧面部と当接することにより前記スライド部材が前記ハウジングの平坦部と平行な面に沿ってカードの挿入及び排出方向と交差する方向に前記カードの側面部から離れるよう回動するものとされ、前記プッシュロッドの一端側には押釦部が取り付けられており、前記プッシュロッドに係止段部を設けると共に、前記スライド部材に前記係止段部と係脱可能な係止突部を形成し、前記ＩＣカードを裏返し、又は逆方向で挿入した時、前記ＩＣカードの前記前端部により前記スライド部材が回動され、前記プッシュロッドの係止段部と前記スライド部材の係止突部が係合して一体に移動可能となり、前記ＩＣカードの挿入に伴って前記スライド部材と前記プッシュロッドが移動する時、前記押釦部の取付側の端部が前記ハウジングの一側部に当接することにより、それ以上の前記ＩＣカードの挿入方向への移動を阻止するようにしたことを特徴とする。
【００１０】
また、第２の手段として、前記スライド部材には、前記ハウジングに設けられた摺動溝に嵌合し、この摺動溝に沿って摺動する摺動突部が形成され、前記スライド部材は前記摺動突部を中心に前記係止段部に係脱可能に回動するように形成されていることを特徴とする。
【００１３】
【発明の実施の形態】
以下、本発明の１実施例を図１乃至図３１に示す。図１は本発明のＩＣカード用コネクタを示す平面図、図２は同じくカバーを外した状態の平面図、図３はハウジングの平面図、図４は同じく正面図、図５はＩＣカードの平面図、図６は同じく底面図、図７はスライド部材の平面図、図８は同じく側面図、図９はロック部材の平面図、図１０は同じく側面図、図１１はロック部材とハウジングの取付関係図、図１２はスライド部材とロック部材をハウジングに取り付けた状態の関係図、図１３はプッシュロッドの平面図、図１４は同じく側面図、図１５はハウジングにプッシュロッドを取り付けた状態の関係図、図１６はカバーの平面図、図１７は同じく側面図、図１８はカバーにばね片を形成した状態の平面図、図１９は同じく断面図、図２０及び図２１はＩＣカードと接触端子との接続状態の関係図である。
【００１４】
図において、ハウジング１は、合成樹脂などの絶縁材で略方形に形成されており、このハウジング１には、内部に後述するＩＣカード３が挿入され収納される収納部１ａが設けられている。この収納部１ａの内底部には、導電性の金属材からなる複数の接触端子２ａが配設されており、この接触端子２ａの他端側は、前記ハウジング１の外方へ導出されて、図示しない外部の回路基板などの回路パターンと接続される接続端子２ｂが形成されている。
複数の前記接触端子２ａは、その端子長さを、適宜異ならせた状態で前記ハウジング１に配設されており、本実施例では、前記接触端子２ａの７本中の真ん中に位置する３本が、左右に位置する４本よりも若干長くなるように形成されている。
また、前記ハウジング１の周面部には後述するカバー８を係合する係合爪部１ｂが複数個設けられている。
【００１５】
前記ハウジング１の一端側には、前記収納部１ａに連設して、平坦部１ｃが設けられており、この平坦部１ｃに後述するスライド部材６が配設されるものとなっている。また、前記平坦部１ｃの上端側には、後述するロック部材５を回動可能に係止する係止溝１ｄが設けられており、また、右側部には後述するプッシュロッド７をスライド移動可能にガイドするガイド溝１ｅが形成されたものとなっている。
【００１６】
また、前記平坦部１ｃの左上部には、長尺状の摺動溝１ｆが形成されている。この摺動溝１ｆに、後述するスライド部材６に設けられた摺動突部６ｃが摺動され、スライド部材６がＩＣカードの挿入／排出方向へスライド移動可能となっている。
また、前記平坦部１ｃの下端側には、スライド部材６の一端部が係止され、その回動を規制する規制壁１ｇが設けられている。
【００１７】
ＩＣカード３は、内部に集積回路（ＩＣ）が収納されており、記録媒体として広く使用されているものである。このＩＣカード３の底面側には、その一端側に複数の接点部３ａが形成されており、この接点部３ａが前記ハウジング１の収納部１ａに設けられた複数の接触端子２ａと接触することにより、外部に接続された電子機器との種々の情報処理が行われるものとなっている。
また、前記ＩＣカード３には、前記接点部３ａの形成側のその一隅部に、斜面状の切り欠き部３ｂが設けられている。この切り欠き部３ｂによって、前記ＩＣカード３をＩＣカード用コネクタに挿入する場合の誤挿入の検出を行っている。
【００１８】
ロック部材５は合成樹脂などの絶縁材で形成されており、このロック部材５の略中央には、前記ハウジング１の係止溝１ｄに係止される一対の係止軸５ａが形成されている。また、中央から延設された係止腕部５ｂの先端部には、後述するスライド部材６に係脱可能なフック状の係止部５ｃが形成されている。この係止部５ｃの先端側には傾斜部５ｄが設けられており、この傾斜部５ｄに後述するプッシュロッド７の解除操作部７ａが当接することにより、前記係止部５ｃが前記係止軸５ａを支点として回動するようになっている。
この場合、前記ロック部材５の回動方向は、前記ハウジング１内に着脱される前記ＩＣカード３の平坦面に直交する方向（上下方向）へ回動可能なように配設されるものとなっている。このため、左右方向への回動スペースを必要としないことから、前記ハウジング１の幅寸法を小さくすることが可能となっている。
【００１９】
また、前記ロック部材５の中央には、後述するスライド部材６を前記ＩＣカード３の排出方向へ付勢する復帰ばね４を係止する係止凹部５ｅが設けられている。この係止凹部５ｅの下端側には突起部５ｆが形成され、この突起部５ｆに前記復帰ばね４の巻端部が当接することにより、前記ロック部材５が下面側に回動され、前記係止腕部５ｂの先端の前記係止部５ｃが、後述するスライド部材６の係合突部６ａと係合する方向へ付勢されるようになっている。このため、前記ロック部材５の付勢用としてのばね部材を別途設ける必要がないことから、部品点数の削減が図れるものとなる。
【００２０】
スライド部材６は合成樹脂などの絶縁材で形成されており、このスライド部材６の一側部には前記ロック部材５の係止部５ｃと係合される係合突部６ａを有する係合腕部６ｂが設けられている。また、この係合腕部６ｂと並設して、自由端側に前記ハウジング１の摺動溝１ｆに摺動する摺動突部６ｃを有する摺動腕部６ｄが設けられている。この摺動腕部６ｄの前記摺動突部６ｃの近傍には、斜面からなる押圧面部６ｅと、この押圧面部６ｅに連設してフック部６ｆが形成されており、前記ＩＣカード３の挿着時に、前記フック部６ｆに前記ＩＣカード３の切り欠き部３ｂが当接することにより、前記スライド部材６が前記ＩＣカード３と共にＩＣカードの挿入方向へ移動されるものとなっている。また、前記押圧面部６ｅに前記ＩＣカード３の先端部が当接することにより、前記スライド部材６が前記摺動突部６ｃを支点として反時計方向へ回動するようになっている。
【００２１】
また、前記摺動腕部６ｄ、及び前記係合腕部６ｂと対向する他端側には、前記ハウジング１の平坦部１ｃに設けられた規制壁１ｇに当接し、その回動が規制される規制片部６ｇが形成されている。前記平坦部１ｃに配設された前記スライド部材６は、前記復帰ばね４によって前記摺動突部６ｃを中心として時計方向へ回動付勢されているが、前記規制片部６ｇが前記規制壁１ｇに当接することでその回動が規制されるものとなっている。また、前記規制片部６ｇの先端側には、後述するプッシュロッド７の係止段部７ｅと係合される係止突部６ｈが設けられたものとなっている。
【００２２】
また、前記摺動腕部６ｄの基部側には、前記ＩＣカード３側へ突出した押圧突部６ｉが設けられており、この押圧突部６ｉが前記復帰ばね４の付勢力によって前記ＩＣカード３の側面へ押し付けられることにより、前記ＩＣカード３は、常に前記ハウジング１の側壁に付勢された状態となり、前記ＩＣカード３が前記ハウジング１の収納部１ａから不用意に飛び出してしまうことを防止している。
また、前記スライド部材６には、段部からなるストッパー面６ｊが形成されており、前記ＩＣカード３の排出途上において、このストッパー面６ｊが後述するプッシュロッド７のストッパー部７ｄと当接されることにより、前記スライド部材６の移動が停止されるようになっている。
【００２３】
また、前記スライド部材６の略中央部には開口部６ｋが設けられており、この開口部６ｋに前記復帰ばね４が収納されている。前記スライド部材６は、前記ハウジング１の平坦部１ｃ内に配設され、前記復帰ばね４に付勢されながら、前記ハウジング１内を上下方向、即ち前記ＩＣカード３の挿入、排出方向へ移動可能となるように取り付けられるものとなっている。
【００２４】
プッシュロッド７は、薄板状の金属板を折り曲げて形成されており、長尺状の基板部７ａと、この基板部７ａの中央に直角に折り曲げられたロック板部７ｂとから形成されている。前記基板部７ａの延設された先端には、前記ロック部材５の前記係止部５ｃの先端に設けられた傾斜部５ｄに当接して、前記ロック部材５を回動させる解除操作部７ｃが形成されている。
また、前記ロック板部７ｂには、前記スライド部材６のストッパー面６ｊと当接するストッパー部７ｄが設けられており、このトッパー部７ｄの反対側には、前記スライド部材６の係止突部６ｈに係合する係合段部７ｅが形成されている。
前記ストッパー部７ｄ及び前記係合段部７ｅに、前記ストッパー面６ｊ及び前記係止突部６ｈが当接／係合することで、前記スライド部材６の移動が規制されるものとなっている。
【００２５】
また、前記基板部７ａには、人間の指などで押圧操作される押釦部７ｆが取り付けられており、前記ＩＣカード３を裏返し、又は逆方向へ挿入した時には、この押釦部７ｆの取付側の端部が、前記ハウジング１の一側部に当接することにより前記ＩＣカード３の挿入方向への移動が阻止されるようになっている。
また、前記プッシュロッド７は、前記スライド部材６と共に前記ハウジング１に組み込まれ、前記基板部７ａが前記ハウジング１に設けられた前記ガイド溝１ｅにガイドされることで、前記ハウジング１内を移動するように配設されている。
【００２６】
カバー８は、金属性の板材から形成されており、このカバー８には平板状の上板部８ａと、この上板部８ａから直角に折り曲げられ、前記ハウジング１の係合爪部１ｂに係合される複数の係止窓部８ｂを有する横板部８ｃ、８ｃが形成されている。前記カバー８は、前記ハウジング１の開口部を覆うように前記ハウジング１の上面側に取り付けられるものとなっている。
【００２７】
また、図１８及び図１９に示すように、前記カバー８の上板部８ａに、切り起こすことによりばね片８ｄを設け、このばね片８ｄを前記ＩＣカード３の上面側に当接させてＩＣカード３を前記ハウジング１の底面側へ付勢するように形成しておけば、更に、前記ＩＣカード３が前記ハウジング１の収納部１ａから不用意に飛び出してしまうことを防止できる。
【００２８】
次に、上述したＩＣカード用コネクタの動作を図２２乃至図３１で説明する。
図２２乃至図２９は、本発明のＩＣカード用コネクタの挿入／排出時の動作状態を示す説明図で、図２２はハウジングにＩＣカードを挿入する初期の状態を示す説明図、図２３はＩＣカードの挿入途上の状態を示す説明図、図２４はＩＣカードの挿入が終了した状態を示す説明図、図２５は同じくカードの挿入終了時でスライド部材がロックされた状態を示す説明図、図２６はプッシュロッドを押圧してスライド部材のロックを解除した状態を示す説明図、図２７はロックされたスライド部材を解除しＩＣカードが排出途上の状態を示す説明図、図２８は同じくＩＣカードの排出途上の状態を示す説明図、図２９はＩＣカードと接触端子との接触が外れてＩＣカードを排出する状態を示す説明図であり、また、図３０及び図３１はＩＣカードの挿入時にＩＣカードを裏返して挿入した状態を示す説明図である。
尚、図においてはロック部材とスライド部材、及びロック部材とプッシュロッドの係合／解除の状態を分かりやすくするために部分的に側面図で示している。
【００２９】
まず、前記ハウジング１の収納部１ａに前記ＩＣカード３を挿入する。この時、前記スライド部材６の前記フック部６ｆが前記ＩＣカード３の切り欠き部３ｂに当接し、前記スライド部材６はＩＣカードの挿入方向に押圧されることになる。この時、前記ＩＣカード３の側面部が、前記スライド部材６の押圧突部６ｉに当接され、前記復帰ばね４の付勢力によって前記ＩＣカード３は前記ハウジング１の側壁部へ押し付けられた状態となっている。（図２２）
【００３０】
この時、前記スライド部材６は、前記フック部６ｉを支点として前記復帰ばね４によって時計方向へ付勢されていることから、前記スライド部材６は反時計方向へは回動されずに、前記復帰ばね４の付勢力に抗してＩＣカードの挿入方向へ移動する。この時、前記スライド部材６に設けられた前記摺動突部６ｃが前記ハウジング１に設けられた前記摺動溝１ｆに沿って移動することになり、前記スライド部材６は前記ＩＣカード３と共にＩＣカードの挿入方向へ移動する。（図２３）
【００３１】
更に、前記復帰ばね４の付勢力に抗して前記カード３を挿入方向に押圧すると、前記スライド部材６はＩＣカードの挿入方向へ移動し、前記ＩＣカード３の前記接点部３ａは前記ハウジング１の接触端子２ａと接触される。そして前記ＩＣカード３が前記ハウジング１の収納部１ａの内縁部に当接した時点で挿入が停止され、前記ＩＣカード３の前記ハウジング１への挿着が完了する。これに伴い前記スライド部材６の移動も停止される。
【００３２】
この時、前記ロック部材５は前記スライド部材６と当接され、前記スライド部材６の移動に伴い前記係合突部６ａが前記ロック部材５の傾斜部５ｄを押圧することにより、前記ロック部材５が側面図で示す時計回りに回動する。この時、前記ロック部材５の係止腕部５ｂは前記復帰ばね４によって前記スライド部材６の係合腕部６ｂ側へ付勢されていることから、前記係合突部６ａが前記傾斜部５ｄから外れた時点で前記ロック部材５は側面図で示す反時計方向へ回動されることから、前記ロック部材５の前記係止部５ｃは前記スライド部材６の前記係合突部６ａと確実に対峙された状態となる。（図２４）
【００３３】
次に、前記ＩＣカード３への押圧を解除すると、前記スライド部材６は前記復帰ばね４の付勢力により、ＩＣカードの排出方向へ僅かだけ戻され、この時、前記係合突部６ａが前記ロック部材５の前記係止部５ｃと係合することでその位置に前記スライド部材６がロックされる。（図２５）
【００３４】
次に、前記ハウジング１に挿着した前記ＩＣカード３を排出する場合には、前記ＩＣカード３の挿着状態（図２５）から、待機位置にある前記プッシュロッド７の押釦７ｆを指などで押圧して、前記プッシュロッド７をＩＣカードの挿入方向へ押し込み位置まで移動させると、前記解除操作部７ｃが前記ロック部材５の傾斜部５ｄを押圧することにより、前記ロック部材５の係止腕部５ｂが側面図に示す時計方向へ回動され、前記ロック部材５の前記係止部５ｃが前記スライド部材６の係合突部６ａから外れた状態となる。（図２６）
【００３５】
そして、前記スライド部材６は前記復帰ばね４の付勢力によりＩＣカードの排出方向へと移動される。この時、前記プッシュロッド７の解除操作部７ｃは、金属板を折り曲げて一端側に薄板状に細長く延設された基板部７ａに形成されていることから、前記スライド部材６の移動を妨げないように配設することが可能となっている。また、配設に場所を取らないことから前記ハウジング１の幅寸法を小さく形成することができる。
【００３６】
前記スライド部材６がＩＣカードの排出方向へ移動するのに伴い、前記ＩＣカード３は、前記スライド部材６と共にＩＣカードの排出方向へ移動する。
この時、前記プッシュロッド７には前記ストッパー部７ｄが設けられており、押し込み位置では、このストッパー部７ｄに、ＩＣカードの排出方向へ移動された前記スライド部材６に設けられた前記ストッパー面６ｊが当接することにより、確実に、前記スライド部材６の移動が停止され、前記ＩＣカード３はこの前記プッシュロッド７の押し込み位置に停止されるものとなる。この時、前記ＩＣカード３の前記接点部３ａは、前記ハウジング１の接触端子２ａとの接触が一部（左右の４本）解除されるが、その一部（中央の３本）はまだ接触した状態となっている。（図２７）
【００３７】
この場合、前記スライド部材６が前記プッシュロッド７のストッパー部７ｄに当接した時に、前記復帰ばね４の付勢力が前記ＩＣカード３にも作用するが、前記ＩＣカード３の前記接点部３ａの一部が前記接触端子２ａの一部と接触するようにしたことから、前記接触端子２ａのばね圧によって前記ＩＣカード３を挟むことで、前記ＩＣカード３が前記ハウジング１の収納部１ａから飛び出すことを防止することができる。
【００３８】
次に、前記プッシュロッド７の押圧を解除すると、前記スライド部材６は前記復帰ばね４の付勢力によってＩＣカードの排出方向へと移動され、前記ＩＣカード３の前記接点部３ａと前記接触端子２ａとの接触が全て解除される。
この時、前記ＩＣカード３は、前記スライド部材６の押圧突部６ｉによってその側面部を押圧されていることから、前記接触端子２ａとの接触が解除されても、前記ハウジング１の収納部１ａから飛び出すことはない。（図２８）
【００３９】
更に、前記プッシュロッド７が初期の待機位置へと復帰すると、前記スライド部材６も初期状態へ復帰し、前記ＩＣカード３は排出位置へと移動され、前記ＩＣカード３は前記ハウジング１の前記収納部１ａから排出されるものとなっている。（図２９）
【００４０】
上記の本発明の実施例によれば、押圧操作によって前記ロック部材５のロックを解除して、前記スライド部材６を前記カード３の排出位置まで移動させる前記プッシュロッド７に、前記スライド部材６が前記ＩＣカード３の排出方向へ移動するのを阻止するストッパー部７ｄを設け、前記プッシュロッド７が前記押し込み位置まで押圧された時に、前記ＩＣカード３の接点部３ａが前記ハウジング１の複数の接触端子２ａの全てから離脱する前に、前記スライド部材６が前記ストッパー部７ｄに当接するように形成したことから、確実に、前記スライド部材６の移動を停止させると共に、前記ＩＣカード３を前記プッシュロッド７の押し込み位置に停止させ、前記ＩＣカード３が前記ハウジング１の収納部１ａから飛び出すことを防止することができるものとなっている。
【００４１】
また、前記スライド部材６、及び前記プッシュロッド７の復帰用のばねと、前記ロック部材５を回動付勢する付勢用のばねとを一つの前記復帰ばね４で兼用したことから、複数のばねを別途設ける必要がなく、部品点数を削減でき、構成を簡単にできる。
【００４２】
図３０及び３１は、ＩＣカードの挿入時にＩＣカードを誤って裏返して挿入した状態を示しており、前記ＩＣカード３に設けられた切り欠き部３ｂは、前記スライド部６の配設位置とは反対側（図示左側）に位置している。
この場合、前記ＩＣカード３の挿入途上において、前記ＩＣカード３の前端部（図面右前）が、前記スライド部材６の斜面からなる前記押圧面部６ｅに当接し、この押圧面部６ｅを押圧することから、前記スライド部材６は前記摺動突部６ｃを中心に反時計方向へ回動するものとなる。この時、前記スライド部材６の前記摺動突部６ｃと対向する一端側に設けられた前記係合突部６ｈが、回動され、前記プッシュロッド７に設けられた係合段部７ｅに係合される。（図３０）
【００４３】
この状態から、更に、前記ＩＣカード３挿入すると、前記係合突部６ｈと前記係合段部７ｅが係合した状態で前記スライド部材６が前記ＩＣカード３と共にＩＣカードの挿入方向へと移動する。この時、前記プッシュロッド７も前記スライド部材６と共にＩＣカードの挿入方向へ移動するが、前記押釦部７ｆの取付側の端部が、前記ハウジング１の一側部に当接することにより、それ以上の前記ＩＣカード３の挿入方向への移動が阻止されるものとなる。（図３１）
【００４４】
この場合、これ以上前記ＩＣカード３を挿入方向へ挿入できないことから、前記ハウジング１に配設された前記接触端子２ａを誤って破損することを防止できる。また、この状態では、前記スライド部材６は前記ロック部材５にロックされる位置まで移動されないことから、前記ＩＣカード３への押圧を止めれば、前記ＩＣカード３は前記復帰ばね４の復帰力によりＩＣカードの挿入初期位置まで戻ってくるため、誤挿入を容易に判断することが可能となっている。
【００４５】
また、前記ＩＣカード３の前端部と当接する前記押圧面部６ｅを、前記スライド部材６に形成し、前記スライド部材６を回動可能に配設すると共に、前記スライド部材６の一端部に前記係合段部７ｅと係合する前記係止突部６ｈを形成したことから、前記ＩＣカード３を挿着完了の直前位置まで押し込まなくても誤挿入を判断することが可能で、操作性も良好となり、前記接触端子２ａの変形や損傷を招いてしまう虞もなくなる。
また、新たに板ばね等を前記ＩＣカード３の挿入路の途中に突出させる必要もないので、部品点数の削減が図れるものとなる。
【００４６】
尚、上記実施例においては、前記接点部３ａ、前記接触端子２ａが面接点タイプのカード用コネクタで説明したが、ピン／ソケットタイプのＩＣカード用コネクタにも適用できるのはもちろんである。
【００４７】
【発明の効果】
以上説明したように、本発明のＩＣカード用コネクタは、待機位置と押し込み位置との間を移動可能に配設され、押圧操作によってロック部材のロックを解除するプッシュロッドに、ＩＣカードを裏返し、又は逆方向へ挿入した時、スライド部材を係止してＩＣカードの挿入方向への移動を阻止する阻止手段を形成したことから、ＩＣカードへの押圧を止めれば、ＩＣカードは復帰ばねの復帰力によりＩＣカードの挿入初期位置まで戻ってくるため、ＩＣカードの誤挿入を容易に判断することができる。
【００４８】
また、プッシュロッドに係止段部を設けると共に、スライド部材に係止段部と係脱可能な係止突部を形成し、ＩＣカードを裏返し、又は逆方向へ挿入した時、ＩＣカードの前端部によりスライド部材が回動され、係止突部が係止段部に係合するように阻止手段を構成したことから、ＩＣカードを挿着完了の直前位置まで押し込まなくても誤挿入の判断ができるため、操作性が良く、接触端子の変形や損傷の発生を防止できる。また、新たに板ばね等をＩＣカードの挿入路の途中に突出させる必要もないので、部品点数の削減が図れる。
【００４９】
また、スライド部材には、係止突部を係止段部に係合する方向に回動させる押圧面部を形成したことから、簡易な構造で確実にスライド部材を係止段部へ係合させることができる。
【００５０】
また、スライド部材には、ハウジングに設けられた摺動溝に嵌合し、この摺動溝に沿って摺動する摺動突部が形成され、スライド部材は摺動突部を中心に係止段部に係脱可能に回動するように形成されていることから、部品点数を増やすことなく、簡易な構造でＩＣカードの誤挿入防止構造が得られる。
【００５１】
また、プッシュロッドの一端側には押釦部が配設されており、押釦部の一端が、ハウジングの一側部に当接することによりＩＣカードの挿入方向への移動が阻止されることから、ストッパーが強固となり、確実にＩＣカードの挿入を阻止できる。
【図面の簡単な説明】
【図１】本発明の１実施例であるＩＣカード用コネクタを示す平面図である。
【図２】本発明の同じくＩＣカード用コネクタのカバーを外した状態を示す平面図である。
【図３】本発明の同じくハウジングを示す平面図である。
【図４】本発明の同じくハウジングを示す正面図である。
【図５】本発明の同じくＩＣカードを示す平面図である。
【図６】本発明の同じくＩＣカードを示す底面図である。
【図７】本発明の同じくスライド部材を示す平面図である。
【図８】本発明の同じくスライド部材を示す側面図である。
【図９】本発明の同じくロック部材を示す平面図である。
【図１０】本発明の同じくロック部材を示す側面図である。
【図１１】本発明の同じくロック部材とハウジングの取付状態を示す関係図である。
【図１２】本発明の同じくスライド部材とロック部材をハウジングに取り付けた状態を示す関係図である。
【図１３】本発明の同じくプッシュロッドを示す平面図である。
【図１４】本発明の同じくプッシュロッドを示す側面図である。
【図１５】本発明の同じくハウジングにプッシュロッドを取り付けた状態を示す関係図である。
【図１６】本発明の同じくカバーを示す平面図である。
【図１７】本発明の同じくカバーを示す側面図である。
【図１８】本発明の同じくカバーにばね片を形成した状態を示す平面図である。
【図１９】本発明の同じくカバーにばね片を形成した状態を示す断面図である。
【図２０】本発明の同じくＩＣカードと接触端子との接続状態を示す関係図である。
【図２１】本発明の同じくＩＣカードと接触端子との接続状態を示す関係図である。
【図２２】本発明のハウジングにＩＣカードを挿入する初期の状態を示す説明図である。
【図２３】本発明のＩＣカードの挿入途上の状態を示す説明図である。
【図２４】本発明のＩＣカードの挿入が終了した状態を示す説明図である。
【図２５】本発明の同じくカードの挿入終了時でスライド部材がロックされた状態を示す説明図である。
【図２６】本発明のプッシュロッドを押圧してスライド部材のロックを解除した状態を示す説明図である。
【図２７】本発明のロックされたスライド部材を解除しＩＣカードが排出途上の状態を示す説明図である。
【図２８】本発明の同じくＩＣカードの排出途上の状態を示す説明図である。
【図２９】本発明のＩＣカードと接触端子との接触が外れてＩＣカードを排出する状態を示す説明図である。
【図３０】本発明のＩＣカードの挿入時にＩＣカードを裏返して挿入した状態を示す説明図である。
【図３１】本発明の同じくＩＣカードの挿入時にＩＣカードを裏返して挿入した状態を示す説明図である。
【符号の説明】
１  ハウジング
１ａ  収納部
１ｂ  係合爪部
１ｃ  平坦部
１ｄ  係止溝
１ｅ  ガイド溝
１ｆ  摺動溝
１ｇ  規制壁
２ａ  接触端子
２ｂ  接続端子
３  ＩＣカード
３ａ  接点部
３ｂ  切り欠き部
４  復帰ばね
５  ロック部材
５ａ  係止軸
５ｂ  係止腕部
５ｃ  係止部
５ｄ  傾斜部
５ｅ  係止凹部
５ｆ  突起部
６  スライド部材
６ａ  係合突部
６ｂ  係合腕部
６ｃ  摺動突部
６ｄ  摺動腕部
６ｅ  押圧面部
６ｆ  フック部
６ｇ  規制片部
６ｈ  係止突部
６ｉ  押圧突部
６ｊ  ストッパー面
６ｋ  開口部
７  プッシュロッド
７ａ  基板部
７ｂ  ロック板部
７ｃ  解除操作部
７ｄ  ストッパー部
７ｅ  係合段部（阻止手段）
７ｆ  押釦部
８  カバー
８ａ  上板部
８ｂ  係止窓部
８ｃ  横板部
８ｄ  ばね片
【図１】
0004012660.tif 000002
【図２】
0004012660.tif 000003
【図３】
0004012660.tif 000004
【図４】
0004012660.tif 000005
【図５】
0004012660.tif 000006
【図６】
0004012660.tif 000007
【図７】
0004012660.tif 000008
【図８】
0004012660.tif 000009
【図９】
0004012660.tif 000010
【図１０】
0004012660.tif 000011
【図１１】
0004012660.tif 000012
【図１２】
0004012660.tif 000013
【図１３】
0004012660.tif 000014
【図１４】
0004012660.tif 000015
【図１５】
0004012660.tif 000016
【図１６】
0004012660.tif 000017
【図１７】
0004012660.tif 000018
【図１８】
0004012660.tif 000019
【図１９】
0004012660.tif 000020
【図２０】
0004012660.tif 000021
【図２１】
0004012660.tif 000022
【図２２】
0004012660.tif 000023
【図２３】
0004012660.tif 000024
【図２４】
0004012660.tif 000025
【図２５】
0004012660.tif 000026
【図２６】
0004012660.tif 000027
【図２７】
0004012660.tif 000028
【図２８】
0004012660.tif 000029
【図２９】
0004012660.tif 000030
【図３０】
0004012660.tif 000031
【図３１】
0004012660.tif 000032